(57)【要約】【課題】網戸のサッシに全く加工を施さなくとも、簡単に網戸の網を取り外したり、取り付けたりできる網及び網戸を安価に提供する。また、網戸のサッシを特殊な形状としたり、網戸のサッシに加工を施したりした場合には、その後はより容易に網戸の取替えが可能な網及び網戸を安価に提供することも目的とする。【解決手段】網戸１において、前記網戸１の網５を伸縮可能な素材とする。また、網５の４辺及び４角には網５よりも強度のある伸縮可能な材質を固定する。この網５を従来の網戸のサッシの周囲にある突起部に引掛けて固定する。【選択図】図１
2007063752.tif 000002
【特許請求の範囲】
【請求項１】
網戸において、前記網戸の網が伸縮可能な網からなることを特徴とする網戸。
【請求項２】
網戸において、伸縮可能な網と、前記網の周囲に固定された伸縮可能な材質と、を有することを特徴とする網戸。
【請求項３】
伸縮可能な網からなることを特徴とする害虫よけネット。
【請求項４】
伸縮可能な網と、前記網の周囲に固定された伸縮可能な材質と、を有することを特徴とする害虫よけネット。
【請求項５】
網戸において、伸縮可能な網の引掛け用部材を前記網戸のサッシに有することを特徴とする網戸。
【請求項６】
網戸において、網戸のサッシと、伸縮可能な網と、前記網戸のサッシに前記網の引掛け用部材と、を有することを特徴とする網戸。
【請求項７】
網戸において、網戸のサッシと、伸縮可能な網と、前記伸縮可能な網の周囲に固定されたゴムと、前記網戸のサッシに前記網の引掛け用部材と、を有することを特徴とする網戸。
【請求項８】
前記ゴムは端部が肉厚となっていることを特徴とする請求項７に記載の網戸。
【請求項９】
窓において、伸縮可能な網と、前記窓の窓枠に前記網の引掛け用部材と、を有することを特徴とする窓。
【請求項１０】
窓において、伸縮可能な網と、前記伸縮可能な網の周囲に固定されたゴムと、前記窓の窓枠に前記網の引掛け用部材と、を有することを特徴とする窓。
【請求項１１】
前記ゴムは端部が肉厚となっていることを特徴とする請求項１０に記載の窓。
【発明の詳細な説明】
【技術分野】
【０００１】
本発明は、害虫避け用に使用される網戸および網に関するものである。
【背景技術】
【０００２】
近年、地球規模で温暖化問題に直面している中、『クールビズ』等、政府も真剣に温暖化問題に取り組んでいるが、そもそも、エアコンの利用頻度から始まった問題でもあることは周知の通りである。そのため、網戸の使用により自然の風を利用し、エアコンの利用頻度を低減させることが行なわれている。
【０００３】
この網戸は、害虫の侵入を防止しつつ、自然の風による室内温度の低減を図ることができる。しかし、幹線道路に近い家の網戸では、排気ガスなどの大気汚染により、新品の網戸も１ヶ月もすれば真っ黒になり、カーテンにまでその汚れが付着してしまい清掃に悩まされることになる。同時に花粉症に悩まされる人間にとっては、付着している汚れには、花粉を含むことも容易に想定でき大きな問題である。このような汚れを落とすために、こまめな清掃や取替えを心がけたいが、従来の網戸を常に清潔な状態で維持管理するには以下の問題点があった。
【０００４】
１．網を取替える場合、サッシ同等分の平場なスペースと専用の工具が必要である。
【０００５】
２．清掃時においては、サッシに固定されている為スペースが必要である。
【０００６】
３．２において水洗いする場合、更に限定されたスペースが必要である。
【０００７】
一般的に網戸の維持管理は大変な作業であり、現在では専門業者などに委託するケースも少なくなく、コストもかかっているのが現状である。
【０００８】
上記問題点の改善策として、例えば、特許文献１では、以下の方法が提案されている。
１．サッシ枠の縁の幅と同じ幅で裏面に粘着材、表面に鈎状突起部をそれぞれ設けた帯状の面ファスナー雄片と表面に受状突起部を設けた帯状の面ファスナー雌片を２枚１組にして、サッシ枠四辺の長さに合わせて切断する。
２．サッシ枠の大きさに合わせて網体を切断する。
３．面ファスナー雄片の裏面をサッシ枠四辺に貼り付け固定する。
４．サッシ枠に固定された面ファスナー雄片の表面上に網体の四辺を網体の網目が面ファスナー雄片の鈎状突起部を通るように押しながら取り付ける。
５．面ファスナー雌片の表面を下にして上記枠体の四辺に乗せる。このとき、面ファスナー雌片の受状突起部と面ファスナー雄片の鈎状突起部が係合するように、面ファスナー雌片の面を強く押しながら取り付ける。
【０００９】
上記方法によれば網を張り替える時、いろいろな工具を使用する必要がなく、これまでの煩わしい張り替え作業の苦痛を解決し、誰でも簡単に洗えて張り替えることができる。しかし、この方法では、前述のように
１．サッシ枠の縁の幅と同じ幅で裏面に粘着材、表面に鈎状突起部をそれぞれ設けた帯状の面ファスナー雄片と表面に受状突起部を設けた帯状の面ファスナー雌片を２枚１組にして、サッシ枠四辺の長さに合わせて切断する。
２．サッシ枠の大きさに合わせて網体を切断する。
３．面ファスナー雄片の裏面をサッシ枠四辺に貼り付け固定する。とういう工程が必要になるという欠点がある。
【特許文献１】特開２００４−２３９０３０号公報
【発明の開示】
【発明が解決しようとする課題】
【００１０】
前述のように、網戸において網のみを取り外し、網の洗浄や取替えを容易にする発明はあるが、その前段階として、網戸のサッシにファスナー等を取り付けなければいけない手間がかかるという問題点があった。本発明は、上記課題に鑑みなされたものであり、その目的は、網戸のサッシに全く加工を施さなくとも、簡単に網戸の網を取り外したり、取り付けたりできる網及び網戸を安価に提供することにある。また、網戸のサッシを特殊な形状としたり、網戸のサッシに加工を施したりした場合には、その後はより容易に網戸の取替えが可能な網及び網戸を安価に提供することも目的とする。
【課題を解決するための手段】
【００１１】
上記課題につき本発明者が鋭意検討を行った結果、網戸には網戸が外れないようにするための突起部があることに着目し、本発明に想到するに至った。
【００１２】
即ち、本発明に係る網戸は、前記網戸の網が伸縮可能な網からなることを特徴とする。
【００１３】
また、本発明に係る網戸は、伸縮可能な網と、前記網の周囲に固定された伸縮可能な材質と、を有することを特徴とする。
【００１４】
さらに、本発明に係る害虫よけネットは、伸縮可能な網からなることを特徴とする。
【００１５】
また、本発明に係る害虫よけネットは、伸縮可能な網と、前記網の周囲に固定された伸縮可能な材質と、を有することを特徴とする。
【００１６】
さらに、本発明に係る網戸は、伸縮可能な網の引掛け用部材を前記網戸のサッシに有することを特徴とする。
【００１７】
また、本発明に係る網戸は、網戸のサッシと、伸縮可能な網と、前記網戸のサッシに前記網の引掛け用部材と、を有することを特徴とする。
【００１８】
さらに、本発明に係る網戸は、網戸のサッシと、伸縮可能な網と、前記伸縮可能な網の周囲に固定されたゴムと、前記網戸のサッシに前記網の引掛け用部材と、を有することを特徴とする。
【００１９】
また、本発明に係る網戸は、ゴムの端部が肉厚となっていることが望ましい。
【００２０】
さらに、本発明に係る窓は、伸縮可能な網と、前記窓の窓枠に前記網の引掛け用部材と、を有することを特徴とする。
【００２１】
また、本発明に係る窓は、伸縮可能な網と、前記伸縮可能な網の周囲に固定されたゴムと、前記窓の窓枠に前記網の引掛け用部材と、を有することを特徴とする。
【００２２】
さらに、本発明に係る窓は、ゴムの端部が肉厚となっていることが望ましい。
【発明の効果】
【００２３】
以上により、網戸のサッシに全く加工を施さなくとも、簡単に網戸の網を取り外したり、取り付けたりできる網及び網戸を提供することができる。また、網戸のサッシを特殊な形状としたり、網戸のサッシに加工を施したりした場合には、その後はより容易に網戸の取替えが可能な網及び網戸を提供することができる。
【発明を実施するための最良の形態】
【００２４】
網戸の網を取り外して洗浄したり、取り替えるという目的を、容易な手段で実現した。
【実施例１】
【００２５】
図１は、本発明の一実施例を表す図である。本実施例に係る網戸１は網戸のサッシ３、網戸のサッシ３に固定する網５からなる。
【００２６】
図２は網戸１を横から見た断面図であって、図３は網戸のサッシ３の下端部付近の拡大断面図である。図３に示すように、網戸のサッシ３はローラー７を介してレール６上に移動可能に載せられている。
【００２７】
また、図４は網戸用サッシ３の上端部付近の拡大断面図である。図４に示すように、網戸のサッシ３はレール６により移動可能かつ外れないように設置されている。
【００２８】
一方、網５は網戸のサッシ３に固定される前の形状は、図５に示すように長方形であり、網戸のサッシ３のフレームの大きさの４分の１から９分の１程度の大きさを有している。縮尺比でいうと２分の１から３分の１程度の大きさである。ただし、これは一実施例に過ぎず、網の大きさは網戸のサッシ３のフレームの大きさよりも小さければ特に問題はない。しかし、前述の網５の大きさであれば、色々な大きさの網戸に適用可能であるため好適である。なお、網５は網戸のサッシ３のフレームと相似形である必要はなく、例えば楕円形であっても良い。
【００２９】
網５は、伸縮可能な材質で構成されている。網５の材質は伸縮可能であればよく、特に限定されないが、例えばポリウレタンやナイロンなどの化学繊維、またはゴム、その他のものを使用することができる。網５の４辺及び４角には、図３に示すように伸縮可能なゴム９が固定されている。網５の４辺及び４角に固定されているものはゴムに限定されないが、ゴムのように網よりも強度がある伸縮素材であることが望ましい。
【００３０】
上記のように構成された網戸のサッシ３と網５は以下のように使用される。まず、図６に示すような従来の網戸のサッシ３から網を取り外し、図７のような状態とする。次に図５に示すように網戸のサッシ３に網５の１角と２辺を固定し「３」の状態とする。次に「４」に示すように網５を右に引っ張り網５の右側を網戸のサッシ３に固定する。次に「５」に示すように下に引っ張り網の下側を網戸のサッシ３に固定する。すると、図１に示すように網戸のサッシ３に網５が固定される。
【００３１】
図２は、このときの網戸とレール６の横から見た断面図であって、図３は網戸のサッシ３の下端部付近の拡大断面図である。
【００３２】
図３に示すように、網戸のサッシ３はローラー７の外側に突起部３ａを有している。この突起部３ａは一般的な網戸のサッシ３の４辺に存在する。網５の４辺に固定されている伸縮可能なゴム９が、この突起部３ａに引っ掛かり、網戸のサッシ３に網５が固定される。網５の４辺に固定されたゴム９は、図３に示すように先端９ａを特に肉厚としている。そして、このように構成されたゴム９がサッシの突起部３ａに引っ掛かるようにしている。網５の４辺及び４角に網よりも強度のある伸縮素材を固定している理由は、サッシの突起部３ａと接触する部分であるため耐久性が求められるからである。なお、ゴム９に代えて網５と同一材質で肉厚なものとしても良い。また、ゴム９の先端９ａを特に肉厚としているのは、伸縮力を強化し網５を網戸のサッシ３に固定しやすくするためである。そのため、ゴム９の先端９ａは伸縮力の強い別素材で構成してもよい。なお、ゴム９の先端９ａは肉厚としなくても本発明の目的を達成することができる。
【００３３】
網戸のサッシ３から網５を取り外すときは、全く逆の手順で簡単に取り外すことができる。取り外した網５は縮んで元の大きさに戻る。この網５は洗濯機などで容易に洗濯洗浄することができ、洗濯洗浄後はまた網戸のサッシ３に取り付けることができる。さらに、この網５を別の網に取り替えることもできる。別の網を異なる色や模様とすることにより、カーテン感覚と同じようにバリエーションのあるデザインを楽しむことができる。
【００３４】
本実施例によれば、網戸の網を取り外して洗浄したり、取り替えるという目的を、網戸に特殊な加工を施すことなく、容易な手段で実現することができる。
【実施例２】
【００３５】
図８は、本発明の第二の実施例を表す図であって、本実施例に係る網戸２１は網戸のサッシ２３、網戸のサッシ２３の窓枠に固定する網２５からなる。
【００３６】
図９は従来の網戸を横から見た断面図であって、網戸のサッシ３の窓枠付近の拡大断面図である。図９に示すように、従来の網戸のサッシ３の窓枠では、窓枠の４辺に凹部が設けられている。従来の網戸では網２５ａを窓枠に重ねた後、上部から固定用ゴム２２を押し込み、網２５ａをサッシ３に固定していた。本実施例においては、図１０及び図１１に示すように窓枠の４辺に網固定用のサッシ本体改良フック２４を固定している。
【００３７】
一方、図１２に示すように網２５は網戸のサッシ２３に固定される前の形状は、長方形であり、網戸のサッシ２３の窓枠の大きさの４分の１から９分の１程度の大きさを有している。縮尺比でいうと２分の１から３分の１程度の大きさである。ただし、これは一実施例に過ぎず、網の大きさは網戸のサッシ２３の窓枠の大きさよりも小さければ特に問題はない。しかし、前述の網２５の大きさであれば、色々な大きさの網戸に適用可能であるため好適である。なお、網２５は網戸のサッシ２３の窓枠と相似形である必要はない。
【００３８】
網２５は、伸縮可能な材質で構成されている。網２５の材質は伸縮可能であればよく、特に限定されないが、実施例１と同様のものを使用することができる。網２５の４辺及び４角には伸縮可能なゴム２９が固定されている。網２５の４辺及び４角に固定されているものはゴムに限定されないが、ゴムのように網よりも強度がある伸縮素材であることが望ましい。図１０に示すように、網２５の４辺に固定されたゴム２９の先端２９ａは特に肉厚としている。なお、実施例１と同様にゴム２９の先端２９ａは別素材としてもよく、肉厚としなくても良い。
【００３９】
上記のように構成された網戸のサッシ２３と網２５は以下のように使用される。図１０及び図１１に示すように窓枠の４辺に網固定用のサッシ本体改良フック２４が固定された網戸のサッシ２３において、サッシ本体改良フック２４に網２５の１角と２辺を固定し図１２の「３」の状態とする。次に「４」に示すように網２５を右に引っ張り網２５の右側をサッシ本体改良フック２４に固定する。次に「５」に示すように下に引っ張り網の下側をサッシ本体改良フック２４に固定する。すると、図１３に示すように網戸の窓枠に網２５が固定される。
【００４０】
図１０は、このときの網戸のサッシ２３と網２５とサッシ本体改良フック２４の横から見た断面図であって、サッシ本体改良フック２４付近の拡大断面図である。
【００４１】
網戸のサッシ２３はサッシ本体改良フック２４を有している。このサッシ本体改良フック２４は網戸のサッシ２３の窓枠の４辺に取り付けられている。網の４辺に固定されている伸縮可能なゴム２９が、このサッシ本体改良フックに引っ掛かり、網戸のサッシ２３に網２５が固定される。
【００４２】
網戸のサッシ２３から網２５を取り外すときは、全く逆の手順で簡単に取り外すことができる。取り外した網２５は縮んで元の大きさに戻る。この網２５は実施例１と同様に洗濯機などで容易に洗濯洗浄することができ、洗濯洗浄後はまた網戸のサッシ２３に取り付けることができる。さらに、この網２５を別の網に取り替えることもできる。別の網を異なる色とすることにより、カーテン感覚と同じようにバリエーションのあるデザインを楽しむことができる。
【００４３】
本実施例によれば、窓枠にサッシ本体改良フック２４を設けるようにサッシを製造する。そのため、実施例３や実施例４に示すように、サッシの窓枠の長さに合うようにフックを切断し、両面テープなどにより取り付けなくてはならないという手間がかからない。そのため、容易に窓枠ごとに網の取り付け取り外し、洗濯洗浄、交換をすることができる。
【００４４】
なお、窓枠にサッシ本体改良フック２４を有していない従来の網戸に対して、サッシ本体改良フック２４を両面テープなどにより固定しても良い。この場合は、長尺のサッシ本体改良フック２４を網戸の窓枠の大きさに合うように切断し、両面テープなどで窓枠の４辺に固定する手間がかかる。しかし、従来の網戸を流用することができるため、経済的である。
【実施例３】
【００４５】
図１４は、本発明の第三の実施例を表す図であって、本発明をビルの窓などに適用する場合を示している。図１４はビルの窓であり、本実施例に係る網戸３１は、窓枠３８に固定された引掛け用フック３４と網３５からなる。窓枠３８の４辺の引掛け用フック３４は窓枠３８の４辺の長さに合うように切断され、両面テープで４辺に固定されている。
【００４６】
図１５は引掛け用フック３４と網３５を上から見た断面図であって、図１４の窓枠３８付近の拡大断面図である。従来のビルの窓には網戸を固定するためのレールや固定具は一般的には存在しない。そのため、本実施例においては、図１４及び図１５に示すように窓枠３８の４辺に引掛け用フック３４を固定している。
【００４７】
一方、網３５は引掛け用フック３４に固定される前の形状は、図１６に示すように長方形であり、窓枠３８の大きさの４分の１から９分の１程度の大きさを有している。縮尺比でいうと２分の１から３分の１程度の大きさである。ただし、これは一実施例に過ぎず、網の大きさは窓枠３８の大きさよりも小さければ特に問題はない。しかし、前述の網３５の大きさであれば、色々な大きさの窓枠３８に適用可能であるため好適である。なお、網３５は窓枠３８と相似形である必要はない。
【００４８】
網３５は、伸縮可能な材質で構成されている。網３５の材質は伸縮可能であればよく、特に限定されないが、実施例１と同様のものを使用することができる。網３５の４辺及び４角には図１５に示すように伸縮可能なゴム３９が固定されている。網３５の４辺及び４角に固定されているものはゴムに限定されないが、ゴムのように網よりも強度がある伸縮素材であることが望ましい。網３５の４辺に固定されたゴム３９は、図１５に示すように先端３９ａを特に肉厚としている。なお、実施例１と同様にゴム３９の先端３９ａは別素材としてもよく、肉厚としなくても良い。
【００４９】
上記のように構成された窓枠３８に固定された引掛け用フック３４と網３５は以下のように使用される。まず、図１６に示すように引掛け用フック３４に網３５の１角と２辺を固定し「１」の状態とする。次に「２」に示すように網３５を右に引っ張り網３５の右側を引掛け用フック３４に固定する。次に「３」に示すように下に引っ張り網３５の下側を引掛け用フック３４に固定する。すると、図１４に示すように窓枠３８に網３５が固定される。
【００５０】
図１５は、このときのサッシと網３５と引掛け用フック３４の上から見た断面図であって、引掛け用フック３４付近の拡大断面図である。
【００５１】
窓枠３８には引掛け用フック３４が両面テープで固定されている。この引掛け用フック３４は窓枠３８の４辺に取り付けられている。網３５の４辺に固定されている伸縮可能なゴム３９の先端３９ａが、この引掛け用フック３４に引っ掛かり、窓枠３８に網３５が固定される。
【００５２】
窓枠３８から網３５を取り外すときは、全く逆の手順で簡単に取り外すことができる。取り外した網３５は縮んで元の大きさに戻る。この網３５は実施例１と同様に洗濯機などで容易に洗濯洗浄することができ、洗濯洗浄後はまた窓枠３８に取り付けることができる。さらに、この網３５を別の網に取り替えることもできる。別の網を異なる色とすることにより、カーテン感覚と同じようにバリエーションのあるデザインを楽しむことができる。
【００５３】
本実施例によれば、網戸を取り付けるレールなどのないビルの窓にも網を取り付けることができる。また、取り付け取り外し、洗濯洗浄、交換も容易である。
【実施例４】
【００５４】
図１７は、本発明の第四の実施例を表す図であって、本発明を自家用車・バス・電車などに適用する場合を示している。図１７の４１は自家用車の後部座席の窓であり、本実施例に係る網戸は、窓枠４８に固定された引掛け用フック４４と網４５からなる。なお、本発明に係る網４５を運転席の窓枠に適用することもできるが、安全上の観点から、運転中は網４５を取り付けないことが望ましい。
【００５５】
図１８は引掛け用フック４４と網４５を横から見た断面図であって、図１７の窓枠４８付近の拡大断面図である。従来の自家用車の後部座席の窓には網戸を固定するためのレールや固定具は一般的には存在しない。そのため、本実施例においては、図１７及び図１８に示すように窓枠４８に引掛け用フック４４を固定している。固定の方法は窓枠４８の形状に合うように引掛け用フック４４を切断し、両面テープなどで固定する。なお、固定の方法は両面テープに限らず、接着剤など色々な方法で固定することができる。
【００５６】
一方、網４５は引掛け用フック４４に固定される前の形状は、図１９に示すように楕円形を４分割した形状であり、窓枠４８の大きさの４分の１から９分の１程度の大きさを有している。縮尺比でいうと２分の１から３分の１程度の大きさである。ただし、これは一実施例に過ぎず、網の大きさは窓枠４８の大きさよりも小さければ特に問題はない。しかし、前述の網４５の大きさであれば、色々な大きさの窓枠４８に適用可能であるため好適である。なお、網４５は窓枠４８と相似形である必要はないが、相似形に近いほど好適である。
【００５７】
網４５は、伸縮可能な材質で構成されている。網４５の材質は伸縮可能であればよく、特に限定されないが、実施例１と同様のものを使用することができる。
【００５８】
網４５の周囲には伸縮可能なゴム４９が固定されている。網４５の周囲に固定されているものはゴムに限定されないが、ゴムのように網よりも強度がある伸縮素材であることが望ましい。網４５の周囲に固定されたゴム４９は、図１８に示すように先端４９ａは特に肉厚としている。なお、実施例１と同様にゴム４９の先端４９ａは別素材としてもよく、肉厚としなくても良い。
【００５９】
上記のように構成された窓枠４８に固定された引掛け用フック４４と網４５は以下のように使用される。まず、図１９に示すように引掛け用フック４４に網４５の１角を固定し「１」の状態とする。次に矢印に示す方向に網４５を右及び下に引っ張り、図１７に示すように網４５の右側下側左側を引掛け用フック４４に固定する。
【００６０】
図１８は、このときの窓枠４８と網４５と引掛け用フック４４を横から見た断面図であって、引掛け用フック４４付近の拡大断面図である。
【００６１】
窓枠４８には引掛け用フック４４が取り付けられている。網４５の周囲に固定されている伸縮可能なゴム４９の先端４９ａが、この引掛け用フック４４に引っ掛かり、窓枠４８に網４５が固定される。
【００６２】
窓枠４８から網４５を取り外すときは、全く逆の手順で簡単に取り外すことができる。取り外した網４５は縮んで元の大きさに戻る。この網４５は実施例１と同様に洗濯機などで容易に洗濯洗浄することができ、洗濯洗浄後はまた窓枠４８に取り付けることができる。さらに、この網４５を別の網に取り替えることもできる。別の網を異なる色とすることにより、カーテン感覚と同じようにバリエーションのあるデザインを楽しむことができる。
【００６３】
本実施例によれば、網戸を取り付けるレールなどのない自家用車・バス・電車などの窓にも網を取り付けることができる。また、取り付け取り外し、洗濯洗浄、交換も容易である。
【００６４】
その他、本発明を実施するための最良の構成、形態、方法などは、以上の記載で開示されているが、本発明はこれに限定されるものではない。すなわち、以上の記載は、主に特定の実施例に関して図示され、かつ説明されているが、本発明の技術的思想および目的の範囲から逸脱することなく、以上述べた実施例に対し、材質、形状、数量、その他の構成において、当業者が様々な変形を加えることができる。
【００６５】
従って、以上に開示した材質、形状、数量などを限定した記載は、本発明の理解を容易にするために例示的に記載したものであり、本発明を限定するものではない。そのため、それらの材質、形状、数量などの一部もしくは全部の限定を外した記載は、本発明の技術的範囲に含まれる。
【産業上の利用可能性】
【００６６】
以上のように構成した網やサッシ、網戸は、一般家屋の窓や、ビルの窓、自家用車・バス・電車の窓などに適用することができ、産業上の利用可能性がある。
【図面の簡単な説明】
【００６７】
【図１】本発明の網戸の第一の実施例を示した図である。
【図２】図１を横から見た断面図である。
【図３】図２の下端部を示した拡大図である。
【図４】図２の上端部を示した拡大図である。
【図５】網５が網戸のサッシ３に固定される前の状態を示した図である。
【図６】従来の網戸を示した図である。
【図７】従来の網戸のサッシ３から網を取り外した図である。
【図８】本発明の網戸の第二の実施例を示した図である。
【図９】従来の網戸を横から見た断面図であって、網戸のサッシ３の窓枠付近の拡大断面図である。
【図１０】本発明の網戸を横から見た断面図であって、網戸のサッシ２３の窓枠付近の拡大断面図である。
【図１１】本発明の網戸のサッシ２３を示した図である。
【図１２】網２５が網戸のサッシ２３に固定される前の状態を示した図である。
【図１３】網戸の窓枠に網２５を固定した状態を示した図である。
【図１４】本発明の第三の実施例を表す図であって、本発明をビルの窓などに適用する場合を示した図である。
【図１５】引掛け用フック３４と網３５を上から見た断面図であって、図１４の窓枠３８付近の拡大断面図である。
【図１６】網３５が引掛け用フック３４に固定される前の状態を示した図である。
【図１７】本発明の第四の実施例を表す図である。
【図１８】引掛け用フック４４と網４５を横から見た断面図であって、図１７の窓枠４８付近の拡大断面図である。
【図１９】網４５が引掛け用フック４４に固定される前の状態を示した図である。
【符号の説明】
【００６８】
１    網戸
３    網戸のサッシ
３ａ  突起部
５    網
６    レール
７    ローラー
９    ゴム
９ａ  先端
２１    網戸
２２    固定用ゴム
２３    網戸のサッシ
２４    サッシ本体改良フック
２５    網
２５ａ  網
２９    ゴム
２９ａ  先端
３１    網戸
３４    引掛け用フック
３５    網
３８    窓枠
３９    ゴム
３９ａ  先端
４４    引掛け用フック
４５    網
４８    窓枠
４９    ゴム
４９ａ  先端
【図１】
2007063752.tif 000003
【図２】
2007063752.tif 000004
【図３】
2007063752.tif 000005
【図４】
2007063752.tif 000006
【図５】
2007063752.tif 000007
【図６】
2007063752.tif 000008
【図７】
2007063752.tif 000009
【図８】
2007063752.tif 000010
【図９】
2007063752.tif 000011
【図１０】
2007063752.tif 000012
【図１１】
2007063752.tif 000013
【図１２】
2007063752.tif 000014
【図１３】
2007063752.tif 000015
【図１４】
2007063752.tif 000016
【図１５】
2007063752.tif 000017
【図１６】
2007063752.tif 000018
【図１７】
2007063752.tif 000019
【図１８】
2007063752.tif 000020
【図１９】
2007063752.tif 000021